(57)【要約】【課題】排水弁を取付けるスペースを小さくできて下枠の小型化及びコストの低減が図れる開口部装置を提供する。【解決手段】建物の開口に設けられる上枠２ａ、下枠２ｂおよび左右の縦枠２ｃ，２ｄからなる枠体２と、該枠体２内に開閉自在に設けられる障子３ａ，３ｂとを備え、前記下枠２ｂに障子閉鎖時に室内と室外を連通する排水口１０を形成し、該排水口１０に、通常時には付勢手段１２により排水口１０を略水平状態で塞ぐ弁体１３を有し、下枠２ｂ上に水ｗが溜まるとその水圧で弁体１３が下方に開いて排水する排水弁１１を設けている。【選択図】          図４
2004169476.tif 000002
【特許請求の範囲】
【請求項１】
建物の開口に設けられる上枠、下枠および左右の縦枠からなる枠体と、該枠体内に開閉自在に設けられる障子とを備え、前記下枠に障子閉鎖時に室内と室外を連通する排水口を形成し、該排水口に、通常時には付勢手段により排水口を略水平状態で塞ぐ弁体を有し、下枠上に水が溜まるとその水圧で弁体が下方に開いて排水する排水弁を設けたことを特徴とする開口部装置。
【請求項２】
建物の開口に設けられる上枠、下枠および左右の縦枠からなる枠体と、該枠体内に開閉自在に設けられる障子とを備え、前記下枠には、中空部を有し、障子閉鎖時にその室内側に面する部分に室内排水口が、障子閉鎖時にその室外側に面する部分に室外排水口がそれぞれ形成され、これら室内排水口及び室外排水口の少なくとも何れか一方に、通常時には付勢手段により排水口を略水平状態で塞ぐ弁体を有し、下枠上に水が溜まるとその水圧で弁体が下方に開いて排水する排水弁を設けたことを特徴とする開口部装置。
【発明の詳細な説明】
【０００１】
【発明の属する技術分野】
本発明は、開口部装置に係り、特に下枠に設けられる排水弁の構造を改良した開口部装置に関する。
【０００２】
【従来の技術】
建物の開口に設けられる開口部装置としては、建物の開口に設けられる上枠、下枠および左右の縦枠からなる枠体と、該枠体内に開閉自在に設けられる障子とを備えた例えば引違いサッシやシャッター付サッシ等が知られている。このようなサッシにおいては、下枠が室内外方向に階段状に形成されている場合には下枠上に溜まる雨水等の排水性に問題は生じにくいが、下枠が略平面状に形成されているような場合には雨水等の水が下枠上に溜まり易く、下枠上の室内側に雨水等の水が溜まると、下枠上から室内に水が溢れて室内を濡らす恐れがある。
【０００３】
このような問題を解決するために、下枠に下枠上に溜まった水を外部に排水するための排水弁１１’を設けたサッシが提案されている（例えば、特開２０００−１９２７４９公報参照）。従来のサッシの排水弁１１’は、例えば図７に示すように、下枠２ｂに形成した排水口９に装着される上下方向に長いケース１４’を有している。このケース１４’の室外側の下側面には排水出口１５が形成され、この排水出口１５に弁体１３’がその上端部を支点に回動開閉自在に設けられている。排水弁１１’の弁体１３’は、通常時には外部からの虫の侵入を防止すべく自重で垂直状態でケース１４’の排水出口１４ｄ’を塞いでおり、下枠２ｂ上に水が溜まると、その水圧で弁体１３’を室外方向へ押し開けて水を排水するようになっている。
【０００４】
【特許文献１】
特開２０００−１９２７４９公報
【０００５】
【発明が解決しようとする課題】
しかしながら、従来のサッシにおいては、前記排水弁１１’が上下方向に長いケース１４’を有し、このケース１４’の垂直面に形成した排水出口１５に弁体１３’を設けた構造になっていたので、下枠２ｂに前記排水弁１１’を取付けるための大きなスペースを確保する必要があり、その分下枠２ｂが大型化してコストアップを招いている。また、前記排水弁１１’においては、ケース１４’内にごみが詰まり易く、ケース１４’内にごみが詰まっても外からは分からず、また、詰まったごみを取除きにくかった。
【０００６】
本発明は、前記事情を考慮してなされたもので、排水弁を取付けるスペースを小さくできて下枠の小型化及びコストの低減が図れる開口部装置を提供することを目的とする。
【０００７】
【課題を解決するための手段】
本発明は、建物の開口に設けられる上枠、下枠および左右の縦枠からなる枠体と、該枠体内に開閉自在に設けられる障子とを備え、前記下枠に障子閉鎖時に室内と室外を連通する排水口を形成し、該排水口に、通常時には付勢手段により排水口を略水平状態で塞ぐ弁体を有し、下枠上に水が溜まるとその水圧で弁体が下方に開いて排水する排水弁を設けたことを特徴とする。
【０００８】
請求項２の発明は、建物の開口に設けられる上枠、下枠および左右の縦枠からなる枠体と、該枠体内に開閉自在に設けられる障子とを備え、前記下枠には、中空部を有し、障子閉鎖時にその室内側に面する部分に室内排水口が、障子閉鎖時にその室外側に面する部分に室外排水口がそれぞれ形成され、これら室内排水口及び室外排水口の少なくとも何れか一方に、通常時には付勢手段により排水口を略水平状態で塞ぐ弁体を有し、下枠上に水が溜まるとその水圧で弁体が下方に開いて排水する排水弁を設けたことを特徴とする。
【０００９】
【発明の実施の形態】
以下に、本発明の実施の形態を添付図面に基いて詳述する。図１は本発明をシャッター付サッシに適用した実施の形態を示す縦断面図、図２は同シャッター付サッシの横断面図、図３はサッシの正面図、図４は要部拡大断面図、図５は排水弁の拡大断面図、図６は排水弁の概略的平面図である。
【００１０】
図１、図２ないし図３において、１は開口部装置として例示したシャッター付サッシで、このサッシ１自体は引違いサッシからなている。サッシ１は、建物の開口に設けられる上枠２ａ、下枠２ｂおよび左右の縦枠２ｃ，２ｄを組立ててなる枠体２と、この枠体２内に開閉自在に設けられる内外の障子３ａ，３ｂとを備えている。枠体２を構成する上枠２ａ、下枠２ｂおよび左右の縦枠２ｃ，２ｄは、例えばアルミニウム合金の押出形材からなっている。障子３ａ，３ｂは、上框４ａ、下框４ｂ及び左右の縦框４ｃ，４ｄを組立ててなる框体４内にガラスパネル５を装着して構成されている。框体２を構成する上框２ａ、下框２ｂ及び左右の縦框２ｃ，２ｄは、例えばアルミニウム合金の押出形材からなっている。
【００１１】
前記サッシ１の上枠２ａの上部にはシャッターカーテン１５を巻き上げ下げする巻取部１６を収容したシャッターボックス１７が設けられ、前記縦枠２ｃ，２ｄの前部には前記シャッターカーテン１５を両側部を上下方向に案内するためのガイドレール１８，１８が着脱可能に設けられている。また、下枠２ｂの前部には、シャッターカーテン１５の端板１９を受けるための受部２０が設けられている。
【００１２】
前記下枠２ｂは、室内外方向に階段状に形成されておらず、略平面状に形成されている。下枠２ｂの上面部には内外の障子３ａ，３ｂを左右方向に移動自在に案内する内外のレール６ａ，６ｂや網戸７を左右方向に移動自在に案内する網戸用のレール８が突設されている。このような下枠２ｂにおいては、上面部に雨水等の水が溜まり易いため、排水性を良くするために、排水口９，１０が設けられている。図示例の下枠２ｂは、図４にも示すように中空部２５を有する中空（ホロー）構造になっているため、下枠２ｂの上面部における室内側と面する部分に排水口（室内排水口）９が設けられ、下枠２ｂの下面部における室外側と面する部分に排水口（室外排水口）１０が設けられている。
【００１３】
下枠２ｂの上面部は、閉鎖状態の内外の障子３ａ，３ｂにより室外側と室内側に仕切られ、下枠２ｂの上面部にはその室内側に対応する位置例えば外障子３ｂの室内側左右両端位置に排水口９が設けられている。前記下枠２ｂの上面部は閉鎖状態の内外の障子３ａ，３ｂにより室外側と室内側に仕切られているが、下枠２ｂ上に突設された障子用の内外のレール６ａ，６ｂ間が室内外に連通しているため、室内側の上面部にも水が溜まることになる。前記排水口１０が常時開口していると、排水口９，１０を通して室外側から室内に虫や外気が侵入するため、これらの侵入を阻止しつつ排水を行うために前記排水口１０に排水弁１１が設けられている。
【００１４】
この場合、排水弁１１の上下方向の取付けスペースを小さくするために、排水口１０には、通常時には付勢手段例えば重り１２により排水口１１を略水平状態で塞ぐ弁体１３を有し、下枠２ｂ上に水が溜まるとその水圧で弁体１３が下方に開いて排水する排水弁１１が設けられている。この排水弁１１は、図５ないし図６に示すように前記排水口１０に装着される上下方向の寸法の短い枠状のケース１４を有し、このケース１４に弁体１３が一側を支点に開閉自在に設けられている。前記ケース１４は、排水口１０にその下方から装着されるようになっており、上端部に排水口１０の周縁部に係止される係止部１４ａが形成されている。前記ケース１４及び弁体１３は、例えば合成樹脂により形成されている。
【００１５】
また、前記ケース１４の室内側一側部の下部両端部には断面Ｃ形状ないしＯ形状の軸受部１４ｂが形成され、前記弁体１３の基部両端には前記両軸受部１４ｂ，１４ｂに回動自在に支持される支軸１３ａが突設されている。前記弁体１３の基部側にはその支軸１３ａよりも弁体１３とは反対側に延出した腕部１３ｂが形成され、この腕部１３ｂにはこれを下方に付勢する重り１２が設けられている。前記支軸１３ａを支点として腕部１３ｂが重り１２により下方へ下がるように付勢されているのに対し、反対側の弁体１３がいわゆるシーソのようにして略水平状態でケース１４の下端開口端に当接して開口端を塞ぐように上方へ付勢されている。ケース１４の下端開口端には、弁体１３が気密に着座する弁座部１４ｃが形成されている。
【００１６】
前記腕部１３ｂは、略水平の閉状態の弁体１３に対して支軸部分から斜め下方に曲っていることが、弁体１３の開閉移動範囲を確保するために好ましい。すなわち、前記腕部１３ｂが略水平の閉状態の弁体１３に対して支軸１３ａ部分から水平に延びていると、弁体１３が下方に開移動するときに腕部１３ｂが下枠２ｂの下面（底面）に当接して弁体１３の十分な開状態を確保することができないからである。
【００１７】
下枠２ｂの上面部に水が溜まると、その水圧で弁体１３が重り１２の付勢力に抗して押し下げられ、排水口１０からケース１４内を通って水が外部に排水されるようになっている。このとき、腕部１３ｂの重り１２が下枠２ｂの下面に当接して弁体１３の回動が規制され、弁体１３は室外側に臨んで斜め下方に傾斜した状態になり、この弁１３体の傾斜面に沿って水が室外側に円滑に排水されるようになっている。前記重り１２は、例えば合成樹脂製の腕部１３ｂの先端部を拡大形成することにより適当な重さの重りとしているが、合成樹脂製の腕部１３ｂに金属部材を取付けて重りとしても良い。
【００１８】
以上の構成からなるシャッター付サッシ（開口部装置）１においては、通常時には、下枠２ｂに設けられた排水弁１１の弁体１３が重り１２による付勢力でケース１４の下部開口端（開口面）に当接して排水口１０と略平行な略水平状態で排水口１０を塞いでおり、排水口１０を通って室外から室内への虫や外気の侵入を防止することができる。そして、サッシ１の室外面に雨がかかって下枠２ｂ上に水が溜まると、閉状態の弁体１３の上面に水圧がかかり、この水圧が重り１２の付勢力に打ち勝つことで弁体１３が押し下げられて開き、下枠２ｂ上に溜まった水が排水口１０から斜めに下降傾斜した弁体１３の上面に沿って室外に排水される。
【００１９】
このようにして下枠２ｂ上に溜まる水が自動的に室外に排水されることにより、下枠２ｂ上に水が溜まって室内に溢れ、室内を濡らすのを防止することができる。一方、下枠２ｂ上から水が無くなると、弁体１３の上面に水圧がかからなくなるため、重り１２の付勢力により弁体１３が押し上げられてケース１４の下部開口端にほぼ水平状態になって当接し、排水口１０を自動的に塞ぐ（閉じる）ようになる。
【００２０】
このように前記サッシ１によれば、建物の開口に設けられる上枠２ａ、下枠２ｂおよび左右の縦枠２ｃ，２ｄからなる枠体２と、該枠体２内に開閉自在に設けられる障子３ａ，３ｂとを備え、前記下枠２ｂに障子閉鎖時に室内と室外を連通する排水口１０を形成し、該排水口１０に、通常時には付勢手段例えば重り１２により排水口１０を略水平状態で塞ぐ弁体１３を有し、下枠２ｂ上に水が溜まるとその水圧で弁体１３が下方に開いて排水する排水弁１１を設けているため、排水弁１１を取付けるスペースを小さくできて下枠２ｂの小型化及びコストの低減が図れる。
【００２１】
具体的には、前記下枠２ｂには、中空部２５を有し、障子閉鎖時にその室内側に面する部分に室内排水口９が、障子閉鎖時にその室外側（屋外側）に面する部分に室外排水口１０がそれぞれ形成され、これら室内排水口９及び室外排水口１０の少なくとも何れか一方図示例では室外排水口１０に、通常時には付勢手段例えば重り１２により排水口１０を略水平状態で塞ぐ弁体１３を有し、下枠２ｂ上に水が溜まるとその水圧で弁体１３が下方に開いて排水する排水弁１１を設けているため、排水弁１１を取付けるスペースを小さくできて下枠２ｂの小型化及びコストの低減が図れる。前記排水弁１１においては、ケース１４が排水口１０と略同じ大きさで開口しており、且つ上下方向の長さが短いため、ケース１４内にごみが詰まりにくく、仮にケース１４内にごみが詰まったとしても、詰まったごみを容易に取除くことができる。
【００２２】
以上、本発明の実施の形態を図面により詳述してきたが、本発明は前記実施の形態に限定されるものではなく、本発明の要旨を逸脱しない範囲での種々の設計変更等が可能である。例えば、開口部装置としては、シャッター付サッシに限定されず、通常の引違いサッシ、片引きサッシやドアサッシ等であっても良い。また、上枠、下枠、左右の縦枠、上框、下框及び左右の縦框は、金属製の室外形材と室内側形材とを合成樹脂製のブリッジ材を介して結合してなる断熱構造のもの、或いは金属製の室外側形材と合成樹脂製の室内側形材とを結合した複合断熱構造のものであっても良い。下枠は中空構造でなくても良く、その場合、下枠の上面部に設けられた排水口に排水弁が設けられる。付勢手段としては、重り以外に、例えばバネであっても良い。
【００２３】
【発明の効果】
以上要するに本発明によれば、次のような効果を奏することができる。
【００２４】
（１）請求項１の発明によれば、建物の開口に設けられる上枠、下枠および左右の縦枠からなる枠体と、該枠体内に開閉自在に設けられる障子とを備え、前記下枠に障子閉鎖時に室内と室外を連通する排水口を形成し、該排水口に、通常時には付勢手段により排水口を略水平状態で塞ぐ弁体を有し、下枠上に水が溜まるとその水圧で弁体が下方に開いて排水する排水弁を設けているため、排水弁を取付けるスペースを小さくできて下枠の小型化及びコストの低減が図れる。
【００２５】
（２）請求項２の発明によれば、建物の開口に設けられる上枠、下枠および左右の縦枠からなる枠体と、該枠体内に開閉自在に設けられる障子とを備え、前記下枠には、中空部を有し、障子閉鎖時にその室内側に面する部分に室内排水口が、障子閉鎖時にその室外側に面する部分に室外排水口がそれぞれ形成され、これら室内排水口及び室外排水口の少なくとも何れか一方に、通常時には付勢手段により排水口を略水平状態で塞ぐ弁体を有し、下枠上に水が溜まるとその水圧で弁体が下方に開いて排水する排水弁を設けているため、排水弁を取付けるスペースを小さくできて下枠の小型化及びコストの低減が図れる。
【図面の簡単な説明】
【図１】本発明をシャッター付サッシに適用した実施の形態を示す縦断面図である。
【図２】同シャッター付サッシの横断面図である。
【図３】サッシの正面図である。
【図４】要部拡大断面図である。
【図５】排水弁の拡大断面図である。
【図６】排水弁の概略的平面図である。
【図７】従来のシャッター付サッシの要部の一例を示す断面図である。
【符号の説明】
１  サッシ（開口部装置）
２  枠体
２ａ  上枠
２ｂ  下枠
２ｃ、２ｄ  縦枠
３ａ，３ｂ  障子
９  排水口（室内排水口）
１０  排水口（室外排水口）
１１  排水弁
１２  重り
１３  弁体
２５  中空部
【図１】
2004169476.tif 000003
【図２】
2004169476.tif 000004
【図３】
2004169476.tif 000005
【図４】
2004169476.tif 000006
【図５】
2004169476.tif 000007
【図６】
2004169476.tif 000008
【図７】
2004169476.tif 000009